(57)【要約】【課題】  オフ光によって生じる熱を適切に放熱させるとともに、無用な騒音や電力消費を防止することができるＤＭＤ素子を用いた投射型表示装置を提供することを目的としている。【解決手段】  光変調素子によって投射レンズへ投射されない方向へ変調された光が照射する位置に設けられた放熱部材を冷却する冷却手段を、画像信号の明るさに応じて制御する。これにより、オフ光によって生じる熱を適切に放熱させるとともに、必要以上に冷却手段を駆動することを防止し、無用な騒音や電力消費を低減することができる。【選択図】  図３
2020024327.tif 000002
【特許請求の範囲】
【請求項１】
入力された画像信号に応じて光源から照射された光を投射レンズへ投射する方向または投射レンズへ投射しない方向に変調する光変調素子と、
前記光変調素子によって前記投射レンズへ投射されない方向へ変調された光が照射される位置に設けられた放熱部材と、
前記放熱部材を冷却する冷却手段と、
前記画像信号の明るさに応じて、前記冷却手段を制御する制御手段と、を有することを特徴とする投射型表示装置。
【請求項２】
前記制御手段は、前記画像信号から得られる輝度情報に応じて、前記冷却手段を制御することを特徴とする請求項１に記載の投射型表示装置。
【請求項３】
前記制御手段は、前記画像信号から得られる輝度情報が高い場合に比べ、前記画像信号から得られる輝度情報が低い場合に、前記冷却手段の出力が大きくなるように制御することを特徴とする請求項２に記載の投射型表示装置。
【請求項４】
前記制御手段は、前記画像信号から得られる輝度情報が閾値以下である場合に、前記冷却手段の出力が大きくなるように制御することを特徴とする請求項２または３に記載の投射型表示装置。
【請求項５】
前記制御手段は、前記画像信号から得られる輝度情報が閾値以下であり、かつ、閾値以下である時間が所定時間以上経過した場合に、前記冷却手段の出力が大きくなるように制御することを特徴とする請求項２または３に記載の投射型表示装置。
【請求項６】
前記制御手段は、前記画像信号の単位フレームごとに前記画像信号の明るさを判断することを特徴とする請求項１乃至５のいずれか１項に記載の投射型表示装置。
【請求項７】
前記冷却手段は、前記放熱部材に風を送風する冷却ファンであり、
前記制御手段は、前記冷却ファンの出力を制御することを特徴とする請求項１乃至６のいずれか１項に記載の投射型表示装置。
【請求項８】
前記冷却手段は、前記放熱部材に接するように設けられ冷媒が流れる流路を有する受熱部と、当該受熱部で受熱した冷媒の熱を放熱するためのラジエータと、前記ラジエータを冷却する冷却ファンを有し、
前記制御手段は、前記冷却ファンの出力を制御することを特徴とする請求項１乃至６のいずれか１項に記載の投射型表示装置。
【発明の詳細な説明】
【技術分野】
【０００１】
本発明は、投射型表示装置に関するものである。
【背景技術】
【０００２】
ＤＭＤ（Ｄｉｇｉｔａｌ  Ｍｉｃｒｏｍｉｒｒｏｒ  Ｄｅｖｉｃｅ）素子は、複数の微小なマイクロミラーが二次元配列された表示デバイスであり、各々のマイクロミラーの傾斜角度を変更することで反射光の反射方向を変化させることができる。ＤＭＤ素子を用いたプロジェクタでは、各マイクロミラーを入力される画像信号により高速で傾斜駆動させ、スクリーン上に投射する光（以下、オン光と称する）とスクリーン上に投射されない光（オフ光）とを組み合わせることで投射画像を表示している。
【０００３】
つまりＤＭＤ素子に入射する光のうち、スクリーン上に投影されない光（オフ光）は投射レンズに取り込まれない方向に反射されるため、プロジェクタ本体内で吸収されることになる。以下、本明細書中では、スクリーン上に投影されない光のことをオフ光と称し、投射レンズを介してスクリーン上に投影される光をオン光と称することとする。  このようなオフ光は、プロジェクタの光学筐体内で反射して迷光として投射レンズに入射してしまうことを防止するとともにオフ光により生じる熱を放熱させるために、光吸収板に導光して吸収し放熱されるように設けることが一般的である。
【０００４】
特許文献１には、上面に開口が設けられた樹脂製の光学収納ケースの内側に金属製の光吸収板を配置し、オフ光を吸収し放熱させる構成が開示されている。また、特許文献２には金属製の光学筐体に開口部を設け、オフ光は開口部を通過してオフ光放熱部に照射させ、オフ光放熱部を冷却ファンで冷却する構成が開示されている。
【先行技術文献】
【特許文献】
【０００５】
【特許文献１】特開２００８−０２６７４１号公報
【特許文献２】特開２００８−２９２９５３号公報
【発明の概要】
【発明が解決しようとする課題】
【０００６】
近年市場からの要望を受けて、プロジェクタはますます高輝度化が進んでいるが、このようなＤＭＤ素子を用いたプロジェクタにおいて高輝度化が進むと、上述のオフ光の光量が増大していくことが予想される。このようなオフ光が増大すると、特許文献１に開示されるような放熱手段では十分でなく、オフ光により発生する熱がプロジェクタの光学筐体を昇温させ、光学筐体が熱変形してしまうなどして、投射画像が劣化してしまうことが懸念される。
【０００７】
そのため、特許文献２に開示されるように、オフ光放熱部付近に冷却ファンを配置し、この冷却ファンによって高輝度化に対応できるオフ光放熱部の放熱効果を高めることが必要であるといえる。
【０００８】
しかしながら、ＤＭＤ素子を用いたプロジェクタにおいては、暗い画像が入力された場合にはオフ光の量が多いが、明るい画像が入力されたときにはオフ光の量が少ないという特徴がある。そのため暗い画像が入力された場合の熱を放熱できるように、一律に冷却ファンを高駆動に設定してしまうと、明るい画像が入力された場合に過剰に冷却ファンが駆動されることになり、無用な騒音や電力消費につながり、ユーザにとって不利益となる可能性がある。
【０００９】
そこで、本発明の目的は、オフ光によって生じる熱を適切に放熱させるとともに、無用な騒音や電力消費を防止することができる投射型表示装置を提供することを目的としている。
【課題を解決するための手段】
【００１０】
上記目的を達成するために、本発明の投射型表示装置は、入力された画像信号に応じて光源から照射された光を投射レンズへ投射する方向または投射レンズへ投射しない方向に変調する光変調素子と、前記光変調素子によって前記投射レンズへ投射されない方向へ変調された光が照射される位置に設けられた放熱部材と、前記放熱部材を冷却する冷却手段と、前記画像信号の明るさに応じて、前記冷却手段を制御する制御手段と、を有することを特徴とする。
【発明の効果】
【００１１】
このように、オフ光が照射される放熱部材を冷却する冷却手段を、画像信号の明るさに応じて制御することにより、オフ光によって生じる熱を適切に放熱させるとともに、必要以上に冷却手段を駆動することを防止し、無用な騒音や電力消費を低減することができる。
【図面の簡単な説明】
【００１２】
【図１】第１の実施形態にかかるプロジェクタ装置の制御ブロック図である。
【図２】第１の実施形態にかかるプロジェクタ装置の構造である。
【図３】第１の実施形態にかかるプロジェクタ装置の冷却制御を示すフローチャートである。
【図４】第１の実施形態にかかる輝度レベルと冷却ファンの制御を説明するための図である。
【図５】第２の実施形態にかかるプロジェクタ装置の冷却制御を示すフローチャートである。
【図６】第３の実施形態にかかるプロジェクタ装置の構造である。
【発明を実施するための形態】
【００１３】
以下、図面を参照して、本発明の実施形態を詳細に説明する。
【００１４】
（第１の実施形態）
図１は、本発明の実施形態にかかる投射型表示装置としてのプロジェクタ装置の全体構造を説明するための制御ブロック図である。図２は、プロジェクタ装置の内部構造を説明するための図である。
【００１５】
まず、図１を用いてプロジェクタ１００の制御について説明する。
【００１６】
プロジェクタ１００は大きく分けて光学的な画像形成を行う投射ユニット１１０と、画像データの電気的な処理やプロジェクタ１００の各部と信号（情報）の送受信を行い、プロジェクタ１００の動作を制御する制御ユニット１２０とで構成されている。
【００１７】
投射ユニット１１０には、光源として用いられるランプ１１１、ランプ１１１を駆動するランプ駆動部１１２、照明光学系１１３、光変調素子として用いられるＤＭＤ素子１１４、ＤＭＤ駆動部１１５、投射レンズ１１６で構成されている。ランプ１１１は、超高圧水銀ランプやキセノンランプなどの照明装置であり、ＬＥＤやレーザーなどの固体光源を用いることもできる。ランプ駆動部１１２はランプ１１１を駆動するためのバラストであり、ランプ１１１の点灯時に投入される電流の安定化装置である。ランプ１１１から照射される照明光は、照明光学系１１３に導かれる。照明光学系１１３は、ランプ１１１が発した光を均一化し、複数のレンズ群やミラーを介してＤＭＤ素子１１４に照射する。
【００１８】
ＤＭＤ素子１１４は、入射する光を変調する変調領域を備えており、照明光学系１１３からの光を変調することができる。具体的には、表示画素に相当する複数の微小マイクロミラーが二次元的にマトリクス上に配列された半導体素子であり、この微小マイクロミラーはそれぞれがオン状態とオフ状態の二つの傾斜状態を切り替えることができる構造となっている。オン状態のマイクロミラーに入射した照明光は、投射レンズ１１６に向けて反射され（変調され）投射レンズ１１６に入射される（オン光）。つまり、オン状態のマイクロミラーで反射した照明光だけが投射レンズ１１６によってスクリーンに投影される。一方、オフ状態のマイクロミラーで反射された（変調された）照明光は、投射光学系を構成する投射レンズ１１６には入射せず、当該反射光が照射される位置に設けられ光吸収板として機能するオフ光板１１３６に照射される（オフ光）。したがって、ＤＭＤ素子１１４を用いたプロジェクタ１００は、入力された画像信号に応じてＤＭＤ素子１１４のオン状態とオフ状態とを切り替えることにより、明暗のパターンを生成し、投射画像をスクリーン上に表示することができる。ＤＭＤ駆動部１１５は後述する外部インターフェース１３０から入力された画像信号に基づいてＤＭＤ素子１１４を駆動する回路基板である。
【００１９】
制御ユニット１２０は、画像処理ユニット１２１、ランプ制御部１２２、ファン制御部１２３を有している。画像処理ユニット１２１には、画像入力部１２１１、表示制御部１２１２、輝度解析部１２１３、画像処理部１２１４が含まれている。さらにプロジェクタ１００は、ファン制御部１２３で制御されるファン１４０（後述の吸気ファン１４１、排気ファン１４２、オフ光板冷却ファン１４３）、操作パネル１５０、リモコン受信部１６０、外部インターフェース１３０を有している。
【００２０】
ＰＣなどの外部入力機器９９９から画像信号データが送信されてくると、当該画像信号は、外部インターフェース１３０を介して画像処理ユニット１２１に入力される。このとき、画像入力部１２１１では入力された画像信号データの輝度信号、色度信号、同期信号などの分析を行う。表示制御部１２１２は、画像入力部１２１１で処理された画像情報をもとに画像処理部１２１４に投影表示するための画像データを生成するように制御する。画像処理部１２１４は、入力された画像データの解像度、フレームレート、圧縮状態などの判別を行い、画像を表示するための所定フォーマットの画像データを生成する。さらにて表示制御部１２１２は、画像処理部１２１４が処理・生成された画像信号をＤＭＤ駆動部１１５に送信し、ＤＭＤ駆動部１１５がこの画像信号をＤＭＤ素子１１４を駆動するための電圧波形に変調して印加するように制御する。さらに表示制御部１２１２は、ランプ制御部１２２に対してランプ制御電流情報を送信する。ランプ制御部１２２は適切な電流情報を生成し、ランプ駆動部１１２にて駆動する電流値の制御を行う。
【００２１】
輝度解析部１２１３は、画像入力部１２１１に入力された画像信号を解析し、画像信号の輝度を示す情報（輝度レベル）を特定する。その後、特定した輝度を示す情報に応じて、オフ光板冷却ファン１４３を駆動するためのファンパラメータ（冷却手段の出力）の決定を行い、当該ファンパラメータをファン制御部１２３に送信する。ファン制御部１２３は、ファン制御部１２３から送信されたファンパラメータに基づいてオフ光板冷却ファン１４３を駆動する。このオフ光板冷却ファン１４３の駆動制御方法の詳細については後述する。
【００２２】
操作パネル１５０は、プロジェクタ１００の各種操作を受付けることができるパネルであり、受け付けた操作情報を制御ユニット１２０に送信することで、プロジェクタ１００の各種操作を行うことができる。リモコン受信部１６０は、リモコンによる操作情報を制御ユニット１２０に送信して、プロジェクタ１００の各種操作を行うことができる。
【００２３】
次に、図２を用いてプロジェクタ１００の内部構造を説明する。プロジェクタ１００は、ランプ１１１、照明光学系１１３、投射レンズ１１６、外部インターフェース１３０、ファン１４０、メイン基板１７０などで構成されている。照明光学系１１３は、光学筐体１１３０、カラーホイール１１３１、ロッドインテグレータ１１３２、反射ミラー１１３３、ＤＭＤ用ヒートシンク１１３４、ＤＭＤ用ヒートシンク取り付けビス１１３５、オフ光板１１３６、ＤＭＤ素子１１４を有している。
【００２４】
カラーホイール１１３１は互いに異なる複数の色、たとえば赤、緑、青の各カラーフィルタ領域とカラーフィルタがない透明領域が円周方向に配置された回転円盤である。カラーホイール１１３１の構成はこの限りではなく、シアンおよびマゼンダを加えた６セグメントであっても良いし、その他の組み合わせであっても良い。またホイール内に占める各カラーフィルタの領域の割合は任意に設定できるものである。カラーホイール１１３１を通過することでランプ１１１から照射された白色光は時分割で赤、緑、青、白の光に分離され、光学筐体１１３０に保持されたロッドインテグレータ１１３２に入射する。ロッドインテグレータ１１３２は、中空の角柱状ガラス部品であり、内部にミラー面が形成されて構成されている。ロッドインテグレータ１１３２に入射した光は、内部のミラー面にて複数回反射しながら均一な面光源となって出射する。ロッドインテグレータ１１３２から出た均一光は、光学筐体１１３０内に配置された反射ミラー１１３３にて反射してＤＭＤ素子１１４に導かれる。ＤＭＤ素子１１４に照射された光は、マイクロミラーの傾動によって、投射レンズ１１６を通過してスクリーンに投射されるオン光１１４１と、投射レンズ１１６を通過せず、オフ光板１１３６に照射されるオフ光１１４２に分離される。
【００２５】
放熱部材として用いられるオフ光板１１３６は、光学筐体１１３０の一部に一体的に設けられた複数のフィンを有しており、オフ光１１４２を吸収することによって生じる熱は複数のフィンにより放熱される。ここではオフ光板１１３６と光学筐体１１３０が一体としたがこの限りではなく、別部品として光学筐体１１３０に取り付けられる構造であってもよい。ＤＭＤ素子１１４は、背面がＤＭＤ用ヒートシンク１１３４と接するように光学筐体１１３０に保持されており、さらにＤＭＤ用ヒートシンク１１３４はＤＭＤ用ヒートシンク取り付けビス１１３５によって光学筐体１１３０に対して取り付けられている。
【００２６】
吸気ファン１４１は、外部からプロジェクタ１００内に空気を取り込むためのファンであり、排気ファン１４２はプロジェクタ１００内部の空気をプロジェクタ１００の外部に排出するためのファンであり、これらのファンもファン制御部１２３により制御される。多くの場合吸気ファン１４１および排気ファン１４２はともに軸流ファンとして配置されるがこの限りではなく、たとえばシロッコファンなどのほかの方式のファンを使用することができる。またその設置場所や個数についても内部構造や熱量によって適宜、最適に構築されるものである。
【００２７】
オフ光板冷却ファン１４３はオフ光板１１３６の近傍に設置された冷却用の軸流ファンであって、吸気口１４３１と排気口１４３２が設けられている。オフ光板冷却ファン１４３は図２に示すように、排気口１４３２がオフ光板１１３６のフィンに向けて冷却風が吹きつけられるように、不図示の取り付けビスによって外装筐体に取り付けられている。すなわち、オフ光が入射することで生じるオフ光板１１３６の熱は、上述のようにフィンによって放熱されるが、オフ光板冷却ファン１４３によって冷却風が吹き付けられることによって、効率的に放熱される。
【００２８】
次に、図３のフローチャート及び図４の説明図を用いて、画像信号の輝度に応じてオフ光板冷却ファン１４３の制御について説明する。図３のフローチャートに示す処理は、制御ユニット１２０の輝度解析部１２１３が制御手段として機能し、冷却手段の出力であるファンパラメータを決定し、ファン制御部１２３にファンパラメータを出力することにより実現される。図４は、輝度レベルと冷却ファンの制御を説明するための図である。
【００２９】
Ｓ３０１では、輝度解析部１２１３が、入力された画像信号を解析し、画像信号の輝度を示す情報である輝度レベルを特定する。図４（ａ）は、輝度解析部１２１３が特定した輝度レベルを示している。ここでいう輝度レベルは、画像を表示するために必要な単位時間あたりに処理される複数の画像のうち１枚の画像においてある領域の画素それぞれの輝度信号値を積分して得られた値の合計値や平均値を用いて決定することができる。
【００３０】
Ｓ３０２では、輝度解析部１２１３が、Ｓ３０１で特定された輝度レベルがあらかじめ設定された閾値以下であるか判断する。ここで閾値以下ではないと判断された場合には、オフ光による熱の影響は少ないといえるためＳ３０４に進み、通常のファン出力である第１の出力に決定する。そして当該出力でオフ光板冷却ファン１４３が駆動されるように、ファン制御部１２３に出力（ファンパラメータ）を送信する。
【００３１】
一方、Ｓ３０２で輝度レベルがあらかじめ設定された閾値以下であると判断された場合には、オフ光による熱の影響が大きいといえるためＳ３０３に進み、通常のファン出力よりも大きい出力の第２の出力に決定する。そして、当該出力でオフ光板冷却ファン１４３が駆動されるようにファン制御部１２３に出力値を送信する。
【００３２】
Ｓ３０５では、輝度解析部１２１３は、投影が終了したかどうか判断し、終了していない場合には、Ｓ３０１に戻り処理を続ける。
【００３３】
つまり、画像信号の輝度レベルが高い場合に比べて輝度レベルが低い場合に、オフ光板冷却ファン１４３が大きな出力で駆動されるように制御しているといえる。これによりオフ光による熱の影響が大きくなる場合に出力を上げることができ、オフ光で生じる熱を適切に放熱させるとともに、必要以上にオフ光板冷却ファン１４３を大きな出力で駆動することを防止でき、無用な騒音や電力消費を低減することができる。
【００３４】
すなわち、ＤＭＤ素子を搭載したプロジェクタでは、投射画像としてスクリーンに投影されないオフ光の量が多い場合には、放熱部材であるオフ光板１１３６が熱くなり、光学筐体１１３０が熱変形してしまい、投射画像の歪み等の劣化が生じる可能性がある。しかし、本実施形態のようにオフ光板冷却ファン１４３を制御することにより、光学筐体１１３０の熱変形を防止しつつも、無用な騒音や電力消費を低減することができる。
【００３５】
輝度レベルの閾値としては、図４（ａ）に示すように、例えば単位フレームあたりの平均の輝度レベルが２０％とすることができる。輝度レベルが２０％から１００％の場合は、入力された画像が全体的に明るい画像であるといえ、オフ光による熱の影響が小さい画像であるといえる。また、２０％以下の場合には、入力された画像が全体的に暗い画像であるといえ、オフ光による熱の影響が大きい画像であるといえる。図４（ｂ）に示す例では、輝度レベルが２０％以下でない場合（２０％から１００％の場合）には、通常のオフ光板冷却ファン１４３の１周期のデューティ比（以下駆動デューティ比と称する）を４０％の出力で駆動されるように決定している。一方輝度レベルが２０％以下である場合には、通常の駆動デューティ比よりも大きい８０％で駆動されるように決定している。なお、この閾値や駆動デューティ比は、この値に限定されるものではなく、熱量やファンの冷却性能等によって、オフ光による熱が光学筐体１１３０の耐熱温度未満となるように適宜決定することが好ましい。また、オフ光板冷却ファン１４３の出力を制御する方法として、駆動デューティ比を変更するだけでなく、電圧を調整することで制御してもよい。
【００３６】
なお、本実施形態においては輝度レベルと閾値を比較することでオフ光板冷却ファン１４３の駆動デューティ比を決定する場合を説明した。しかし、輝度レベルに対応した駆動デューティ比をあらかじめ設定しておき、段階的にオフ光板冷却ファン１４３の出力を決定できるようにしてもよい。具体的には不図示の記憶手段に輝度レベルに応じた駆動デューティ比の対応関係を記憶させておき、当該対応関係に基づき駆動デューティ比を決定すればよい。このような場合にも、同様な効果を得ることができる。
【００３７】
また、本実施形態においては、オフ光によりオフ光板１１３６が熱せられてしまう状況を入力された画像信号から得られる輝度情報を用いて判断した。しかし、オフ光板１１３６が熱くなることが画像信号より判断できればよく、単位フレームあたりのオン状態となるマイクロミラーの数のなどを用い画像信号の明るさをもとに判断してもよい。
【００３８】
（第２の実施形態）
第１の実施形態では、特定された輝度レベルが予め設定された閾値と比較して、閾値以下である場合に、オフ光板冷却ファン１４３の出力ＵＰする制御例について説明した。本実施形態は、閾値以下である場合、かつ、閾値以下である状態が所定時間以上経過している場合に、オフ光板冷却ファン１４３の出力ＵＰする制御例について説明する。本実施形態においては、第１の実施形態と同様な個所については説明を省略する。
【００３９】
図５のフローチャートを用いて、本実施形態にかかる画像信号の輝度に応じてオフ光板冷却ファン１４３の制御について説明する。図５のフローチャートに示す処理は、制御ユニット１２０の輝度解析部１２１３が制御手段として機能し、冷却手段の出力であるファンパラメータを決定し、ファン制御部１２３にファンパラメータの出力することにより実現される。
【００４０】
Ｓ５０１では、輝度解析部１２１３が、入力された画像信号を解析し、画像信号の輝度を示す情報である輝度レベルを特定する。
【００４１】
Ｓ５０２では、輝度解析部１２１３が、Ｓ５０１で特定された輝度レベルがあらかじめ設定された閾値以下であるか判断する。
【００４２】
Ｓ５０２で輝度レベルがあらかじめ設定された閾値以下であると判断された場合には、オフ光による熱の影響が大きいといえるためＳ５０３に進み、閾値を下回った状態の時間計測を開始する。具体的には、カウンターのカウントＵＰすることで時間計測することができる。そしてＳ５０６において、カウンターのカウントが所定時間を経過しているかどうか判断する。所定時間経過していない場合には、オフ光による熱の影響は少ないといえるため、Ｓ５０５進み、通常のファン出力である第１の出力に決定する。そして当該出力でオフ光板冷却ファン１４３が駆動されるように、ファン制御部１２３に出力を送信する。なお、ここでは、カウンターで時間計測する例を用いて説明したが、タイマーで時間計測するようにしてもよい。
【００４３】
Ｓ５０６において、カウンターのカウントが所定時間を経過したと判断された場合には、オフ光による熱の影響が出る可能性があるため、通常のファン出力よりも大きい出力の第２の出力に決定する。そして、当該出力でオフ光板冷却ファン１４３が駆動されるようにファン制御部１２３に出力値を送信する。
【００４４】
一方、Ｓ５０２で輝度レベルが閾値以下ではないと判断された場合には、オフ光による熱の影響は少ないといえるためＳ５０４に進み、時間計測のカウンターをリセットし、Ｓ５０５で通常のファン出力である第１の出力に決定する。そして当該出力でオフ光板冷却ファン１４３が駆動されるように、ファン制御部１２３に出力（ファンパラメータ）を送信する。
【００４５】
Ｓ５０８では、輝度解析部１２１３は、投影が終了したかどうか判断し、終了していない場合には、Ｓ５０１に戻り処理を続ける。
【００４６】
このように制御することで、オフ光による熱の影響が大きくなる場合に出力を上げることができ、適切に放熱させるとともに、必要以上にオフ光板冷却ファン１４３を大きな出力で駆動することを防止でき、無用な騒音や電力消費を低減することができる。
【００４７】
特に、動画や静止画のスライドショーなどを投影するような場合においては、明るい画像と暗い画像が頻繁に切り替わるような状況が想定される。第１の実施形態の方法では、その都度オフ光板冷却ファン１４３の出力を変更することになり、ファンの動作音が唸り音のように聞こえ聴感の品位が低下する可能性がある。しかし、本実施形態によれば、熱の影響が出るような所定時間暗い画像が続くような場合にオフ光板冷却ファン１４３の出力を大きくすることができ、ファン出力の頻繁な変更に伴う聴感の品位低下を防止することもできる。なお、動画や静止画のスライドショーのような画像信号かどうかを判断し、第１の実施形態と第２の実施形態の制御を切り替えるようにしてもよい。
【００４８】
（第３の実施形態）
第１の実施形態及び第２の実施形態においては、オフ光板１１３６をオフ光板冷却ファン１４３によって冷却する形態を説明したが、本実施形態ではオフ光板１１３６を液冷ユニット１４４によって冷却する形態について説明する。
【００４９】
図６は、本実施形態にかかるプロジェクタ装置の内部構造を説明するための図である。図２と異なる部分を中心に説明する。オフ光板１１３６を冷却する液冷ユニット１４４は、受熱ジャケット１４４１、配管１４４２、ラジエータ１４４３、ラジエータ冷却ファン１４４４、ポンプ１４４５で設けられている。
【００５０】
受熱ジャケット１４４１（受熱部）は、中空構造の流路を有するアルミなどの高熱伝導性の金属材料であり、その流路内部には熱伝導部材としての液体冷媒が還流する構造となっている。受熱ジャケット１４４１は、不図示の熱伝導グリースを介してオフ光板１１３６に対して熱的に接触するように設けられている。配管１４４２は、液冷ユニット１４４の各構成部品と接続しており、液体冷媒が循環するように配置されている。ラジエータ１４４３は、複数のフィンとチューブによって構成され、チューブ内部を通る液体冷媒の熱をフィンによって大気に放熱する熱交換器である。ラジエータ冷却ファン１４４４はラジエータ１４４３が熱交換した熱の放熱効果を促進するためにラジエータ１４４３近傍に設けられる。ポンプ１４４５は液体冷媒の循環流を発生させる。
【００５１】
他の実施例と同じように、オフ光１１４２はオフ光板１１３６に向けて照射される。オフ光板１１３６の熱は、受熱ジャケット１４４１に伝わり、流路内部を還流する液体冷媒と熱交換することによって冷却される。受熱ジャケット１４４１から熱を受けた液体冷媒は配管１４４２を通過してラジエータ１４４３に流入する。
【００５２】
ラジエータ１４４３は、ラジエータ冷却ファン１４４４から送風される空気によって熱交換することで液体冷媒が冷却される。そしてポンプ１４４５によって吸入、吐出されて再度、受熱ジャケット１４４１に流入するように設けられている。
【００５３】
本実施形態においては、ラジエータ冷却ファン１４４４が、画像信号の輝度を示す情報に応じて、駆動されるように設けられている。すなわち、第１の実施形態と同様に、輝度解析部１２１３は、画像入力部１２１１に入力されたコンテンツに基づく画像信号を解析し、画像信号の輝度を示す情報（輝度レベル）を特定する。その後、特定した輝度を示す情報に応じて、ラジエータ冷却ファン１４４４を駆動するためのファンパラメータ（冷却手段の出力）の決定を行い、当該ファンパラメータをファン制御部１２３に送信する。ファン制御部１２３は、ファン制御部１２３から送信されたファンパラメータに基づいてラジエータ冷却ファン１４４４を駆動する。このラジエータ冷却ファン１４４４の駆動制御方法の詳細は、第１の実施形態及び第２の実施形態のフローチャートと同様であるため説明を省略する。
【００５４】
このように制御することで、オフ光による熱の影響が大きくなる場合に出力を上げることができ、適切に放熱させるとともに、必要以上にラジエータ冷却ファン１４４４を大きな出力で駆動することを防止でき、無用な騒音や電力消費を低減することができる。
【符号の説明】
【００５５】
１００  プロジェクタ
１２０  制御ユニット
１１４  ＤＭＤ素子
１４３  オフ光板冷却ファン
１１３６  オフ光板
【図１】
2020024327.tif 000003
【図２】
2020024327.tif 000004
【図３】
2020024327.tif 000005
【図４】
2020024327.tif 000006
【図５】
2020024327.tif 000007
【図６】
2020024327.tif 000008